(57)【要約】【課題】固定ホルダを小型化することにより板金使用量を抑えてコストダウンを図る。【解決手段】立ち基板１１をメイン基板１２に固定する際、立ち基板１１は、第１及び第２の固定ホルダ１３、１４を用いてメイン基板１２に対して垂直に保持されて固定される。第１及び第２の固定ホルダ１３、１４は、同一形状の板金から成型される同一部品から構成される。第１の固定ホルダ１３は、背板面１３ａの一端から垂直方向に延設する側板１３ｂにて、背板面１３ａと立ち基板１１の一方の面１１ｈとを略水平に対向するように上立ち基板１１の一端部を保持する。第２の固定ホルダ１４は、背板面１４ａの一端から垂直方向に延設する側板１４ｂにて、背板面１４ａと立ち基板１１の他方の面１１ｉとを略水平に対向するように立ち基板１１の他端部を保持するものである。【選択図】図１
2008263042.tif 000002
【特許請求の範囲】
【請求項１】
チューナ部が受信した映像信号を信号処理するディジタル基板を、板金製の固定ホルダにてアナログ基板に対して垂直に固定するテレビジョン受信機において、
上記固定ホルダは、同一形状の板金から成型される第１及び第２の固定ホルダから構成され、
上記第１の固定ホルダは、背板面の一端から垂直方向に延設する側板にて、上記背板面と上記ディジタル基板の一方の面とを略水平に対向するように上記ディジタル基板の一端部を保持するものであり、
上記第２の固定ホルダは、背板面の一端から垂直方向に延設する側板にて、上記背板面と上記ディジタル基板の他方の面とを略水平に対向するように上記ディジタル基板の他端部を保持するものであり、
上記第１及び第２の固定ホルダは、上記アナログ基板に形成された孔部に、上記背板面及び側板の下方に形成された脚部を挿入して半田付けされ、
アナログ基板の上記孔部は、上記アナログ基板上における上記立ち基板が配置される線分領域の中点を対称点として点対称な位置に形成されたことを特徴とするテレビジョン受像機。
【請求項２】
固定ホルダを用いて立ち基板をメイン基板に対して垂直に固定して配置する立ち基板固定構造において、
上記固定ホルダは、同一形状の板金から成型される第１及び第２の固定ホルダから構成され、
上記第１の固定ホルダは、背板面の一端から垂直方向に延設する側板にて、上記背板面と上記立ち基板の一方の面とを略水平に対向するように上記立ち基板の一端部を保持するものであり、
上記第２の固定ホルダは、背板面の一端から垂直方向に延設する側板にて、上記背板面と上記立ち基板の他方の面とを略水平に対向するように上記立ち基板の他端部を保持するものであることを特徴とする立ち基板固定構造。
【請求項３】
上記第１及び第２の固定ホルダは、上記メイン基板に形成された孔部に、上記背板面及び側板の下方に形成された脚部を挿入して半田付けする構成であって、
メイン基板の上記孔部は、上記メイン基板上における上記立ち基板が配置される線分領域の中点を対称点として点対称な位置に形成されたことを特徴とする請求項２に記載の立ち基板固定構造。
【請求項４】
上記脚部は、外側に向けて突出するツメ部を有することを特徴とする請求項３に記載の立ち基板固定構造。
【発明の詳細な説明】
【技術分野】
【０００１】
立ち基板をメイン基板に対して垂直に固定する立ち基板固定構造に対して、特に、固定ホルダを用いて立ち基板をメイン基板に固定する立ち基板固定構造に関する。
【背景技術】
【０００２】
従来の立ち基板固定構造の一例について図面を参照して説明する。図８は、従来の立ち基板の固定方法を表す図である。図８に示すように、立ち基板１は、単一の板金部材から成る固定ホルダ２により両端部を保持され、メイン基板３に対して垂直に配置されている。図に示した状態で、立ち基板１はメイン基板３と電気的に接続するために、メイン基板３の立ち基板１１が配置される側とは逆側を半田付けする。
【０００３】
しかしながら、従来の固定ホルダ２は、立ち基板１の両端部を単一の板金部材（板金の一体品）で保持するものであるため、（立ち基板と略水平に対向する）固定ホルダの背板面は少なくとも立ち基板以上の長さが必要となる。このため、固定ホルダが大型化し、板金使用量が増えてコストアップを招いていた。
【０００４】
なお、特許文献１〜３には、スリット状の溝を有する一対の固定ホルダを、その溝同士が略水平に対向するようにメイン基板上に固定し、各固定ホルダの溝に立ち基板の各端部を係合して支持するものが開示されているが、これらの固定ホルダは樹脂成型品であり、上記板金製の固定ホルダに固有の課題を有していない。
【特許文献１】実開平４−７２６９０号公報
【特許文献２】実開昭６２−２５７７５号公報
【特許文献３】特開平１０−１５４８８６号公報
【発明の開示】
【発明が解決しようとする課題】
【０００５】
本発明は、上記従来の問題に鑑みてなされたものであり、固定ホルダを小型化することにより板金使用量を抑えてコストダウンが図られる立ち基板固定構造及び液晶テレビジョン受像機を提供することを目的とする。
【課題を解決するための手段】
【０００６】
上記目的を達成するために本発明の請求項１に係るテレビジョン受像機は、チューナ部が受信した映像信号を信号処理するディジタル基板を、板金製の固定ホルダにてアナログ基板に対して垂直に固定するテレビジョン受信機において、上記固定ホルダは、同一形状の板金から成型される第１及び第２の固定ホルダから構成され、上記第１の固定ホルダは、背板面の一端から垂直方向に延設する側板にて、上記背板面と上記ディジタル基板の一方の面とを略水平に対向するように上記ディジタル基板の一端部を保持するものであり、上記第２の固定ホルダは、背板面の一端から垂直方向に延設する側板にて、上記背板面と上記ディジタル基板の他方の面とを略水平に対向するように上記ディジタル基板の他端部を保持するものであり、上記第１及び第２の固定ホルダは、上記アナログ基板に形成された孔部に、上記側板及び背板の下方に形成された脚部を挿入して半田付けされ、アナログ基板の上記孔部は、上記アナログ基板上における上記立ち基板が配置される線分領域の中点を対称点として点対称な位置に形成されたことを特徴としている。
【０００７】
また、請求項２に係る立ち基板固定構造は、固定ホルダを用いて立ち基板をメイン基板に対して垂直に固定して配置する立ち基板固定構造において、上記固定ホルダは、同一形状の板金から成型される第１及び第２の固定ホルダから構成され、上記第１の固定ホルダは、背板面の一端から垂直方向に延設する側板にて、上記背板面と上記立ち基板の一方の面とを略水平に対向するように上記立ち基板の一端部を保持するものであり、上記第２の固定ホルダは、背板面の一端から垂直方向に延設する側板にて、上記背板面と上記立ち基板の他方の面とを略水平に対向するように上記立ち基板の他端部を保持するものであることを特徴としている。
【０００８】
また、請求項３に係る立ち基板固定構造は、請求項２に記載された立ち基板固定構造において、上記第１及び第２の固定ホルダは、上記メイン基板に形成された孔部に、上記側板下方に形成された脚部を挿入して半田付けする構成であって、メイン基板の上記孔部は、上記メイン基板上における上記立ち基板が配置される線分領域の中点を対称点として点対称な位置に形成されたことを特徴としている。
【０００９】
また、請求項４に係る立ち基板固定構造は、請求項３に記載された立ち基板固定構造において、上記脚部は、外側に向けて突出するツメ部を有することを特徴としている。
【発明の効果】
【００１０】
請求項１に係る液晶テレビジョン受像機によると、従来のようにディジタル基板の両端部を単一の固定ホルダで保持するのではなく、ディジタル基板の各端部を２つの固定ホルダ（第１、第２の固定ホルダ）の各々にて独立して保持するようにしたので、固定ホルダの背板面の長さを従来に比べて短縮する（固定ホルダを小型化する）ことが可能となる。このため、板金使用量が少なくて済み、コストダウンが図られる。また、第１及び第２の固定ホルダを、互いに鏡像の関係にない同一形状の部品（同一部品）で構成することが可能となり、部品の共通化によって部品管理コストを削減できる。
【００１１】
また、アナログ基板に設ける孔部の位置を工夫するだけの簡便な手法で第１及び第２の固定ホルダの部品共通化が実現できる。そして、アナログ基板に形成された孔部に、第１及び第２の固定ホルダの背板面及び側板下方に形成された脚部を挿入して半田付けする構成とすることで、第１及び第２の固定ホルダを、アナログ基板に強固に固定することができ、ひいてはディジタル基板のアナログ基板に確実に保持することができる。
【００１２】
さらに、アナログ基板の孔部に挿入された第１及び第２の固定ホルダの脚部は、ツメ部によってアナログ基板に係止され、抜け防止が図られるため、第１及び第２の固定ホルダを、アナログ基板に強固に固定することができる。
【００１３】
請求項２に係る立ち基板固定構造によると、従来のように立ち基板の両端部を単一の固定ホルダで保持するのではなく、立ち基板の各端部を２つの固定ホルダ（第１、第２の固定ホルダ）の各々にて独立して保持するようにしたので、固定ホルダの背板面の長さを従来に比べて短縮する（固定ホルダを小型化する）ことが可能となる。このため、板金使用量が少なくて済み、コストダウンが図られる。また、第１及び第２の固定ホルダを、互いに鏡像の関係にない同一形状の部品（同一部品）で構成することが可能となり、部品の共通化によって部品管理コストを削減できる。
【００１４】
請求項３に係る立ち基板固定構造によると、メイン基板に設ける孔部の位置を工夫するだけの簡便な手法で第１及び第２の固定ホルダの部品共通化が実現できる。そして、メイン基板に形成された孔部に、第１及び第２の固定ホルダの背板面及び側板下方に形成された脚部を挿入して半田付けする構成とすることで、第１及び第２の固定ホルダを、メイン基板に強固に固定することができ、ひいては立ち基板のメイン基板に確実に保持することができる。
【００１５】
請求項４に係る立ち基板固定構造によると、メイン基板の孔部に挿入された第１及び第２の固定ホルダの脚部は、ツメ部によってメイン基板に係止され、抜け防止が図られるため、第１及び第２の固定ホルダを、メイン基板に強固に固定することができる。
【発明を実施するための最良の形態】
【００１６】
以下、本発明を実施するための最良の形態について図面を参照して説明する。図１は、本発明の立ち基板固定構造１０を表す図である。同図より、立ち基板固定構造１０は、立ち基板１１をメイン基板１２に対して垂直に保持するためのものである。そのため、本発明の立ち基板固定構造１０は、第１及び第２の固定ホルダ１３、１４を用いて、立ち基板１１をメイン基板１２に保持する構成としている。具体的には、第１及び第２の固定ホルダ１３、１４と立ち基板１１とを係合した後、メイン基板１２に形成された孔部１２ａ〜１２ｅ（図５参照）に立ち基板と第１及び第２の固定ホルダ１３、１４の各脚部を挿入して、メイン基板１２に対して垂直に配置する。その後、メイン基板１２の立ち基板１１が配置されない裏面より半田付けされて、メイン基板１２に固定される。
【００１７】
そのため、第１及び第２の固定ホルダ１３、１４は、立ち基板１１をメイン基板１２に対して略垂直になるように固定する必要がある。さらに、立ち基板１１を第１及び第２の固定ホルダ１３、１４に固定する際、組み付けが行いやすいことが望ましい。そのため、本発明の立ち基板１１、メイン基板１２、及び、第１及び第２の固定ホルダ１３、１４は以下に説明する構成とし、立ち基板の強度と組み付けやすさを向上させている。
【００１８】
図２は、本発明の立ち基板の構成を表す斜視図である。同図より、立ち基板１１は、略矩形であり、その一端及び他端の中ほどに、厚みを同じに形成される上側角部１１ａ及び１１ｂと、下側角部１１ｃ及び１１ｄとで、溝１１ｅ及び１１ｆをそれぞれ形成する構成としている。さらに、立ち基板１１は、下方にメイン基板１２の孔部１２ａに挿入される脚部１１ｇを有している。脚部１１ｇは、立ち基板１１をメイン基板１２の孔部１２ａに挿入して半田付けされることで、立ち基板１１とメイン基板１２とを電気的に接続するためのものである。なお、溝１１ｅ、１１ｆの形成される位置は、後述する固定ホルダ１３の形状に合わせて適宜形成されるものである。立ち基板１１は、一方の面（図２の紙面に表された表側の面）１１ｈに、プリントにより回路が形成されている。符号１１ｉは、一方の面１１ｈと反対側の面（他方の面）である。
【００１９】
第１及び第２の固定ホルダ１３、１４は、立ち基板１１をメイン基板１２に対して略垂直に配置して保持するとともに、固定後の立ち基板１１の強度を補助するためのものである。図３は、第１及び第２の固定ホルダ１３、１４の構成を表す斜視図である。図中括弧で示す符号は、第２の固定ホルダ１４の符号である。図３に示すように、第１の固定ホルダ１３は、背板面１３ａの一端から垂直方向に延設する側板１３ｂにて、背板面１３ａと立ち基板１１の一方の面１１ｈとを略水平に対向するように立ち基板１１の一端部を保持するものである。他方、第２の固定ホルダ１４は、背板面１４ａの一端から垂直方向に延設する側板１４ａにて、背板面１４ａと立ち基板１１の他方の面１１ｉとを略水平に対向するように立ち基板１１の他端部を保持するものである。本発明の実施の形態での、第１及び第２の固定ホルダ１３及び１４を形成する背板面１３ａ及び１４ａ、並びに側板１３ｂ及び１４ｂの高さは、立ち基板１１を固定した際、立ち基板１１の高さを越えない高さとしている。
【００２０】
第１及び第２の固定ホルダ１３、１４は、同一形状の板金から成型される部品である。つまり、両固定ホルダ１３、１４は、互いに鏡像の関係にない同一形状の部品である。従って、以下の説明では、第１の固定ホルダ１３のみについてその形状を詳述し、同一形状である第２の固定ホルダ１４については説明を省略する。
【００２１】
本発明の実施の形態での第１の固定ホルダ１３の形状を説明する。図３に示すように、第１の固定ホルダ１３は、背板面１３ａの上方を、側板１３ｂが形成された側へ折り返した、屋根部１３ｃを有するとともに、第１の固定ホルダ１３の側板１３ｂには、背板面１３ａから延設する先端より突出する第１の突出片１３ｄと第２の突出片１３ｅとを有する形状である。さらに、第１の突出片１３ｄは、立ち基板１１の下側角部１１ｃが挿入して保持される固定用部材１３ｆを有する構成である。固定用部材１３ｆの構成としては、第１の突出片１３ｄに立ち基板１１の下側角部１１ｃが挿入可能な溝穴を形成するとともに、第１の突出片１３ｄを下側より溝穴の中ほどにかけて外側に向けて折り曲げることにより、Ｌ字状の溝１３ｇを形成した構成である。
【００２２】
また、背板面１１ａ及び側板１３ｂの下方には、メイン基板１２の孔部１２ｂ、１２ｃに挿入して半田付けされる脚部１３ｈ、１３ｉを有する構成である。さらに、脚部１３ｈ、１３ｉは、背板面１１ａ及び側板１３ｂの外側に向けて突出するツメ部１３ｊ、１３ｋを有する構成である。ツメ部１３ｊ、１３ｋの形成方法の一例としては、脚部１３ｈ、１３ｉの中ほどをコの字の開口を下側に向けて切り欠くとともに、切り欠いた脚部１３ｈ、１３ｉの内側を切り起こしてツメ部１３ｊ、１３ｋとを形成している。上述したツメ部１３ｊ、１３ｋの形成方法は上述した方法に限定されず、脚部１３ｊ、１３ｋから外側に突出されるよう形成され、メイン基板１２の孔部１２ｂ、１２ｃに挿入した際、孔部１２ｂ、１２ｃと係合するものであればよい。
【００２３】
図５は、本発明のメイン基板１２の平面図である。また、図６は、メイン基板１２に固定される、第１及び第２の固定ホルダを表す分解斜視図である。図５及び図６に示すように、メイン基板１２には、立ち基板１１の脚部１１ｇを挿入するための線分状の孔部１１ａが設けられ、孔部１１ａの両端近傍に、第１及び第２の固定ホルダの脚部１３ｈ、１３ｉ、１４ｈ、１４ｉを挿入するための孔部１１ｂ、１１ｃ、１１ｄ、１１ｅが設けられている。図５に示すように、孔部１１ｂと１１ｄ、孔部１１ｃと１１ｅは、互いに、メイン基板１２上における立ち基板１１が配置される線分領域（図５の破線で囲む領域）１２１の中点１２１ａを対称点として点対称な位置に形成されている。これにより、メイン基板に設ける孔部の位置を工夫するだけの簡便な手法で第１及び第２の固定ホルダ１３、１４の部品共通化が実現できる。
【００２４】
次に、上述した、立ち基板１１と第１の固定ホルダ１３を用いた、メイン基板１２への立ち基板１１の固定方法を説明する。図４は、第１の固定ホルダ１３に固定される、立ち基板１１を表す図である。同図４−ａより、立ち基板１１の一方の面１１ｈと第１の固定ホルダ１３の背板面１３ａとが略水平に対向するように、立ち基板１１の下側角部１１ｃの上側先端を、第１の固定ホルダ１３の第１の突出片１３ｄと第２の突出片１３ｅとの間より、固定用部材１３ｆのＬ字状の溝１３ｇの下側から挿入する。続いて、図４−ｂより下側角部１１ｃをＬ字状の溝１３ｇに挿入した状態で、立ち基板１１の下側各部１１ｃの下側の辺を、第２の突出片１３ｅの上側に配置するよう、下側角部１１ｃを第１の固定ホルダ１３の第１の突出片１３ｄと第２の突出片１３ｅとで形成される溝に挿入する。このとき、屋根部１３ｃの先端が、立ち基板１１との隙間を上側からカバーする。
【００２５】
同様にして、立ち基板１１の他方の面１１ｉと第２の固定ホルダ１４の背板面１４ａとが略水平に対向するように、立ち基板１１の下側角部１１ｄの上側先端を、第２の固定ホルダ１４の第１の突出片１４ｄと第２の突出片１４ｅとの間より、固定用部材１４ｆのＬ字状の溝１４ｇの下側から挿入する。続いて、下側角部１１ｄをＬ字状の溝１４ｇに挿入した状態で、立ち基板１１の下側各部１１ｄの下側の辺を、第２の突出片１４ｅの上側に配置するよう、下側角部１１ｄを第２の固定ホルダ１４の第２の突出片１４ｄと第２の突出片１４ｅとで形成される溝に挿入する。このとき、屋根部１４ｃの先端が、立ち基板１１との隙間を上側からカバーする。
【００２６】
上述した構成により、図４の４−ｃより立ち基板１１は、下側角部１１ｃ及び１１ｄを第１及び第２の固定ホルダの固定用部材１３ｆ及び１４ｆに挿入して一方及び他方の面１１ｈ及び１１ｉに対して垂直方向の動きを規制されるとともに、下辺を第２の突出片１３ｅ、１４ｅの上側周辺と当接することにより下側から支持される。これにより、立ち基板１１は、一方及び他方の面１１ｈ及び１１ｉに対して垂直方向と水平方向の動きを規制されて第１及び第２の固定ホルダ１３、１４に保持されることとなる。
【００２７】
上記のようにして、立ち基板１１と第１及び第２の固定ホルダ１３、１４とを固定した状態で、立ち基板１１の脚部１１ｇと固定ホルダ１３の脚部１３ｈ、１３ｉとを、メイン基板１２に形成される孔部１２ａ〜１２ｅに挿入する。その状態で、立ち基板１１と第１及び第２の固定ホルダ１３、１４とを保持したメイン基板１２を、立ち基板１１が配置されない面を下側にして半田付けする。これにより、下側にした面に半田が付着して立ち基板１１と第１及び第２の固定ホルダ１３、１４さらには、メイン基板１２とが半田付けされ、立ち基板１１は、メイン基板１２に対して略垂直に固定される。
【００２８】
上述した立ち基板固定構造１０を用いた実施の形態を以下に説明する。図７は、本発明の立ち基板固定構造１０を使用するテレビジョン受信機３０の構成を表す図である。同図より、テレビジョン受信機３０は、映像を表示する表示器２１と、図示しないアンテナが受信した高周波のテレビジョン放送より希望のチャネルに対応する中間周波数のビデオ信号を抽出するチューナ部２２と、チューナ部２２が抽出したビデオ信号に信号処理を施すディジタル基板２３と、商用電源からの交流電源さらには上記ディジタル基板２３からのビデオ信号を基に、上記表示器に映像を表示するための駆動信号を生成するアナログ基板２４と、上記各構成要素を収容する筺体２５、２６とを有する構成である。
【００２９】
上述した構成により、チューナ部２２が抽出したビデオ信号を基にディジタル基板２３にて映像並びに音声を出力するための信号が生成される。さらに、上記生成した信号と商用電源から供給される電源を基に、アナログ基板２４にて表示器２１に映像を表示するための駆動信号が生成され、表示器２１に出力される。その後、入力された駆動信号に基づいて、表示器２１は映像を表示する。本発明の実施の形態でのテレビジョン受信機３０は、表示器２１をブラウン管型ディスプレイとしている。しかしながら、表示器を実現するものは、ブラウン管型ディスプレイに限定されず、液晶ディスプレイであっても、プラズマディスプレイであってもよい。
【００３０】
上述した実施の形態でのテレビジョン受信機３０は、本発明としての立ち基板固定構造１０の、ディジタル基板２３が立ち基板１１に対応し、アナログ基板２４がメイン基板１２に対応している。そのため、第１及び第２の固定ホルダ１３、１４を用いて、ディジタル基板２３がアナログ基板２４に対して垂直に配置されて固定されている。なお、実施の形態でのテレビジョン受信機３０は、本発明での立ち基板固定構造１０を適応することにより、ディジタル基板２３に対して落下による衝撃や、振動に対する耐久性を向上させる他、テレビジョン受信機３０を組み立てる際に、組み立て易くすることが可能となる。
【００３１】
以上説明したように、本発明の立ち基板固定構造１０は、立ち基板１１は、第１及び第２の固定ホルダ１３、１４を用いてメイン基板１２に対して垂直に保持されて固定される。このとき、立ち基板１１の下側角部１１ｃ及び１１ｄが、第１及び第２の固定ホルダの側板に形成された固定用部材１３ｆ及び１４ｆに挿入して固定される。すなわち、従来のように立ち基板１１の両端部を単一の固定ホルダで保持するのではなく、立ち基板１１の各端部を２つの固定ホルダ（第１、第２の固定ホルダ）の各々にて独立して保持するようにしたので、固定ホルダの背板面の長さを従来に比べて短縮する（固定ホルダを小型化する）ことが可能となる。このため、固定ホルダの背板面の板金使用量が少なくて済み、コストダウンが図られる。また、第１及び第２の固定ホルダ１３及び１４を、互いに鏡像の関係にない同一形状の部品（同一部品）で構成することが可能となり、部品の共通化によって部品管理コストを削減できる。
【００３２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３３】
【図１】本発明の立ち基板固定構造を表す図である。
【図２】本発明の立ち基板の構成を表す斜視図である。
【図３】固定ホルダの構成を表す斜視図である。
【図４】固定ホルダに固定される、立ち基板を表す図である。
【図５】メイン基板の平面図である。
【図６】メイン基板に固定される、第１及び第２の固定ホルダを表す分解斜視図である。
【図７】本発明の立ち基板固定構造を使用するテレビジョン受信機の構成を表す図である。
【図８】従来の立ち基板の固定方法を表す図である。
【符号の説明】
【００３４】
１０…立ち基板固定構造、１１…立ち基板、１１ａ、１１ｂ…上側角部、１１ｃ、１１ｄ…下側角部、１１ｅ、１１ｆ…溝、１１ｇ…脚部、１２…メイン基板、１２ａ、１２ｂ、１２ｃ、１２ｄ、１３ｅ…孔部、１３…第１の固定ホルダ、１３ａ…背板面、１３ｃ…屋根部、１３ｂ…側板、１３ｄ…第一の突出片、１３ｅ…第二の突出片、１３ｆ…固定用部材、１３ｇ…溝、１３ｈ、１３ｉ…脚部、１３ｊ、１３ｋ…ツメ部、１４…第２の固定ホルダ、１４ａ…背板面、１４ｃ…屋根部、１４ｂ…側板、１４ｄ…第一の突出片、１４ｅ…第二の突出片、１４ｆ…固定用部材、１４ｇ…溝、１４ｈ、１４ｉ…脚部、１４ｊ、１４ｋ…ツメ部、２１…表示器、２２…チューナ部、２３…ディジタル基板（立ち基板の一実施例）、２４…アナログ基板（メイン基板の一実施例）、２５、２６…筺体、３０…テレビジョン受信機
【図１】
2008263042.tif 000003
【図２】
2008263042.tif 000004
【図３】
2008263042.tif 000005
【図４】
2008263042.tif 000006
【図５】
2008263042.tif 000007
【図６】
2008263042.tif 000008
【図７】
2008263042.tif 000009
【図８】
2008263042.tif 000010